(57)【要約】【課題】表示品位及びセンシング能力を向上することができる表示装置を提供する。【解決手段】表示装置１００は、表示パネル１２と、表示パネル１２に対向して配置されたタッチパネル２０と、制御部３０とを備える表示装置。表示パネル１２は、複数の画素行Ｌと、複数の画素Ｌ行ごとに配置され、映像信号に対応したデータ電圧を書き込む画素行、及び、黒表示を行う画素行Ｌを選択するための複数の走査線とを有する。タッチパネル２０は、複数の走査線と平行に延在して配置された複数の走査電極Ｔｘであって、走査信号が供給される複数の走査電極Ｔｘを有する。そして、制御部３０は、タッチパネル２０の平面視において、複数の走査電極Ｔｘのうち、黒表示を行う画素行Ｌと重なる位置に配置された走査電極Ｔｘに走査信号を供給する制御を行う。【選択図】図９
2020126581.tif 000002
【特許請求の範囲】
【請求項１】
表示パネルと、前記表示パネルに対向して配置されたタッチパネルと、制御部とを備える表示装置であって、
前記表示パネルは、
複数の画素行と、
前記複数の画素行ごとに配置され、映像信号に対応したデータ電圧を書き込む画素行、及び、黒表示を行う画素行を選択するための複数の走査線とを有し、
前記タッチパネルは、
前記複数の走査線と平行に延在して配置された複数の走査電極であって、走査信号が供給される複数の走査電極を有し、
前記制御部は、前記タッチパネルの平面視において、前記複数の走査電極のうち、前記黒表示を行う画素行と重なる位置に配置された走査電極に前記走査信号を供給する制御を行う
表示装置。
【請求項２】
前記制御部は、さらに、前記黒表示と前記走査信号の供給とを同期させる
請求項１に記載の表示装置。
【請求項３】
前記制御部は、前記黒表示を行う画素行と重なる位置に配置された走査電極に前記走査信号を供給する第１スキャンモードと、画素行における、前記黒表示を行う第１期間及び当該第１期間の前後の少なくとも一方の期間であり、映像信号に基づく映像表示を行う第２期間に、当該画素行と重なる位置に配置された走査電極に前記走査信号を供給する第２スキャンモードであって、前記第１スキャンモードより駆動周波数が低い第２スキャンモードとを有し、前記映像信号の階調レベルに基づいて、前記第１スキャンモードと前記第２スキャンモードとを切り替える
請求項１に記載の表示装置。
【請求項４】
前記制御部は、前記第１スキャンモードにおいて、前記黒表示と前記走査信号の供給とを同期させる
請求項３に記載の表示装置。
【請求項５】
前記制御部は、画素ごとの前記階調レベルを積算した積算値が閾値以上である場合、前記タッチパネルのスキャンモードを前記第１スキャンモードに切り替え、前記積算値が閾値より小さい場合、前記タッチパネルのスキャンモードを前記第２スキャンモードに切り替える
請求項３又は４に記載の表示装置。
【請求項６】
前記制御部は、さらに前記映像信号に基づく表示画像が所定のパターンを含む場合、前記タッチパネルのスキャンモードを前記第１スキャンモードに切り替える
請求項３〜５のいずれか１項に記載の表示装置。
【請求項７】
前記所定のパターンは、前記階調レベルが所定レベル以上である第１領域と、前記第１領域以外の領域である第２領域とを有し、前記第１領域と前記第２領域とが隣接して配置された表示パターンである
請求項６に記載の表示装置。
【請求項８】
前記所定のパターンは、前記階調レベルが所定レベル以上である第１領域と、前記第１領域以外の領域である第２領域とを有し、前記第１領域と前記第２領域とが所定方向に交互に配置された表示パターンである
請求項６に記載の表示装置。
【請求項９】
前記所定のパターンは、前記階調レベルが所定レベル以上である第１領域と、前記第１領域以外の領域である第２領域とを有し、前記第１領域と前記第２領域とが千鳥状に配置された表示パターンである
請求項６に記載の表示装置。
【請求項１０】
前記複数の走査電極のそれぞれが配置される間隔は、前記黒表示を行う画素行の列方向における幅をｗとした場合に、ｗ／２以下である
請求項１〜９のいずれか１項に記載の表示装置。
【請求項１１】
前記複数の画素行を構成する複数の画素のそれぞれは、有機ＥＬ素子、又は、ＱＬＥＤ（Ｑｕａｎｔｕｍ−ｄｏｔ  Ｌｉｇｈｔ  Ｅｍｉｔｔｉｎｇ  Ｄｉｏｄｅ）素子を有する
請求項１〜１０のいずれか１項に記載の表示装置。
【請求項１２】
表示パネルと、前記表示パネルに対向して配置されたタッチパネルとを備える表示装置の制御方法であって、
前記表示パネルは、
複数の画素行と、
前記複数の画素行ごとに配置され、映像信号に対応したデータ電圧を書き込む画素行、及び、黒表示を行う画素行を選択するための複数の走査線とを有し、
前記タッチパネルは、
前記複数の走査線と平行に延在して配置された複数の走査電極であって、走査信号が供給される複数の走査電極を有し、
前記制御方法は、
前記タッチパネルの平面視において、前記複数の走査電極のうち、前記黒表示を行う画素行と重なる位置に配置された走査電極に前記走査信号を供給するステップを含む
表示装置の制御方法。
【発明の詳細な説明】
【技術分野】
【０００１】
本開示は、表示装置、及び、表示装置の制御方法に関する。
【背景技術】
【０００２】
近年、操作性を向上させるために、表示パネル上にタッチパネルを配置した表示装置を備えた携帯型端末又はスマートフォンが人気を博している。例えば、特許文献１には、表示装置として、液晶表示装置だけでなく、有機ＥＬ（Ｅｌｅｃｔｒｏ  Ｌｕｍｉｎｅｓｃｅｎｃｅ）により表示を行う有機ＥＬ表示装置が開示されている。
【先行技術文献】
【特許文献】
【０００３】
【特許文献１】特開２０１０−２０３１５号公報
【発明の概要】
【発明が解決しようとする課題】
【０００４】
しかしながら、タッチパネルを表示パネル上に配置すると、例えば、タッチパネルのタッチ位置検出用の検出信号がノイズとして表示パネルに伝わることで、表示パネルの表示品位が低下することがある。また、表示パネルが有する発光素子を発光させるための発光電流によるＶＣＡＴＨ電圧の変動がノイズとしてタッチパネルに伝わることで、タッチパネルのセンシング性能が低下することがある。
【０００５】
そこで、本開示は、表示品位及びセンシング能力を向上することができる表示装置及び表示装置の制御方法を提供することを目的とする。
【課題を解決するための手段】
【０００６】
上記目的を達成するために、本開示の一態様に係る表示装置は、表示パネルと、前記表示パネルに対向して配置されたタッチパネルと、制御部とを備える表示装置であって、前記表示パネルは、複数の画素行と、前記複数の画素行ごとに配置され、映像信号に対応したデータ電圧を書き込む画素行、及び、黒表示を行う画素行を選択するための複数の走査線とを有し、前記タッチパネルは、前記複数の走査線と平行に延在して配置された複数の走査電極であって、走査信号が供給される複数の走査電極を有し、前記制御部は、前記タッチパネルの平面視において、前記複数の走査電極のうち、前記黒表示を行う画素行と重なる位置に配置された走査電極に前記走査信号を供給する制御を行う。
【０００７】
また、本開示の一態様に係る表示装置の制御方法は、表示パネルと、前記表示パネルに対向して配置されたタッチパネルとを備える表示装置の制御方法であって、前記表示パネルは、複数の画素行と、前記複数の画素行ごとに配置され、映像信号に対応したデータ電圧を書き込む画素行、及び、黒表示を行う画素行を選択するための複数の走査線とを有し、前記タッチパネルは、前記複数の走査線と平行に延在して配置された複数の走査電極であって、走査信号が供給される複数の走査電極を有し、前記制御方法は、前記タッチパネルの平面視において、前記複数の走査電極のうち、前記黒表示を行う画素行と重なる位置に配置された走査電極に前記走査信号を供給するステップを含む。
【発明の効果】
【０００８】
本開示の一態様に係る表示装置及び表示装置の制御方法によれば、表示品位及びセンシング能力を向上することができる。
【図面の簡単な説明】
【０００９】
【図１】図１は、実施の形態１に係る表示装置の機能的な概略構成の一例を示すブロック図である。
【図２】図２は、実施の形態１に係る表示装置の機能的な詳細構成の一例を示すブロック図である。
【図３Ａ】図３Ａは、実施の形態１に係るタッチパネルの構成の一例を示す回路図である。
【図３Ｂ】図３Ｂは、実施の形態１に係るタッチパネルにおける各種信号を示す図である。
【図４】図４は、実施の形態１に係る画素回路の構成の一例を示す回路図である。
【図５】図５は、実施の形態１に係る画素回路の構造の一例を模式的に示す平面図である。
【図６】図６は、従来例に係る表示装置の課題を説明するための第一図である。
【図７】図７は、実施の形態１に係る画素回路の構成の一例を示す回路図である。
【図８】図８は、従来例に係る表示装置の課題を説明するための第二図である。
【図９】図９は、実施の形態１に係る表示装置の動作を模式的に示す平面図である。
【図１０Ａ】図１０Ａは、実施の形態１に係る画素回路の駆動方法の一例を示すタイミングチャートである。
【図１０Ｂ】図１０Ｂは、実施の形態１に係る表示装置の駆動方法の一例を示すタイミングチャートである。
【図１１】図１１は、実施の形態１に係る表示装置の動作を時系列で示す平面図である。
【図１２】図１２は、実施の形態２に係る表示装置の機能的な詳細構成の一例を示すブロック図である。
【図１３】図１３は、実施の形態２に係る表示装置の動作を模式的に示す平面図である。
【図１４】図１４は、実施の形態２に係る表示装置の駆動方法の一例を示すタイミングチャートである。
【図１５】図１５は、実施の形態２に係る表示装置におけるスキャンモードを切り替える動作を示すフローチャートである。
【図１６】図１６は、実施の形態２の変形例に係る表示装置におけるスキャンモードを切り替える動作を示すフローチャートである。
【図１７Ａ】図１７Ａは、所定のパターンの第１例を示す図である。
【図１７Ｂ】図１７Ｂは、所定のパターンの第２例を示す図である。
【図１７Ｃ】図１７Ｃは、所定のパターンの第３例を示す図である。
【図１７Ｄ】図１７Ｄは、所定のパターンの第４例を示す図である。
【発明を実施するための形態】
【００１０】
以下、本開示の実施の形態について、図面を用いて説明する。なお、以下に説明する実施の形態は、いずれも本開示における一具体例を示すものである。したがって、以下の実施の形態で示される、数値、形状、材料、構成要素、構成要素の配置位置及び接続形態、ステップ、並びに、ステップの順序などは、一例であって本開示を限定する主旨ではない。よって、以下の実施の形態における構成要素のうち、本開示における独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態１）
［１−１．表示装置の構成］
本実施の形態に係る表示装置の構成について、図１〜図３Ｂを参照しながら説明する。図１は、本実施の形態に係る表示装置１００の機能的な概略構成の一例を示すブロック図である。図２は、本実施の形態に係る表示装置１００の機能的な詳細構成の一例を示すブロック図である。以下の説明では、簡潔のため、信号と信号を伝達する配線とを、同一の符号で参照することがある。また、回路と回路が形成される領域とを、同一の符号で参照することがある。また、図１では、表示装置１００が備える各構成要素のうち、表示パネル１２、タッチパネル２０、及び、制御部３０のみを図示している。また、図２では、タッチパネル２０の構成を破線で示している。
【００１３】
図１及び図２が示すように、表示装置１００は、表示モジュール１０と、タッチパネル２０と、制御部３０と、電源４０とを備える。また、表示モジュール１０は、表示パネル１２（表示部）とゲートドライバ１３とデータドライバ１４とを有する。
【００１４】
表示パネル１２は、複数の画素回路１１（画素）を行列状（マトリクス状）に配置して構成される。つまり、表示パネル１２は、複数の画素行Ｌを有する。各画素回路１１は、Ｒ、Ｇ、Ｂの発光色にそれぞれ対応するサブ画素回路１１Ｒ、１１Ｇ、１１Ｂ（サブ画素）を有する。本実施の形態では、複数の画素行Ｌを構成する複数の画素のそれぞれは、発光素子として、有機ＥＬ素子を有する例について説明するが、これに限定されない。表示パネル１２は、発光素子として、ＱＬＥＤ（Ｑｕａｎｔｕｍ−ｄｏｔ  Ｌｉｇｈｔ  Ｅｍｉｔｔｉｎｇ  Ｄｉｏｄｅ）素子を有していてもよい。
【００１５】
行列状の各行には、同じ行に配置される複数の画素回路１１に接続される３本の制御信号線ＩＮＩ、ＲＥＦ、ＷＳが設けられる。制御信号線ＩＮＩ、ＲＥＦ、ＷＳは、ゲートドライバ１３から供給される制御信号ＩＮＩ、ＲＥＦ、ＷＳを、画素回路１１へ伝達する。なお、制御信号線の本数および制御信号は一例であり、この例には限定されない。また、制御信号線ＩＮＩ、ＲＥＦ、ＷＳは、走査線の一例である。
【００１６】
走査線は、複数の画素行Ｌごとに配置され、映像信号に対応したデータ電圧を書き込むための画素行Ｌを選択するために設けられる。なお、本実施の形態では、複数の画素行Ｌのうち少なくとも１以上の画素行Ｌは、黒表示を行う。そのため、走査線は、複数の画素行Ｌごとに配置され、映像信号に対応したデータ電圧を書き込む画素行、及び、黒表示を行う画素行Ｌを選択するために設けられるとも言える。なお、黒表示を行う画素行Ｌは、互いに隣接する１以上の画素行Ｌにより形成される。
【００１７】
行列状の各列には、同じ列に配置される複数の画素回路１１に接続される３本のデータ信号線ＶｄａｔＲ、ＶｄａｔＧ、ＶｄａｔＢが設けられる。データ信号線ＶｄａｔＲ、ＶｄａｔＧ、ＶｄａｔＢは、データドライバ１４から供給されるＲ、Ｇ、Ｂの発光輝度に関連するデータ信号ＶｄａｔＲ、ＶｄａｔＧ、ＶｄａｔＢを、画素回路１１へ、それぞれ伝達する。
【００１８】
なお、図２では、ゲートドライバ１３は、表示パネル１２の片側に配置されているが、両側に配置されていてもよい。また、データドライバ１４は、表示パネル１２にＣＯＧ（Ｃｈｉｐ  ｏｎ  Ｇｌａｓｓ）で実装されてもよく、ＣＯＦ（Ｃｈｉｐ  Ｏｎ  Ｆｉｌｍ）で実装されてもよい。
【００１９】
タッチパネル２０は、表示パネル１２と対向して配置され、タッチペン又は指等で押下された座標位置、及び、ドラッグ操作などを検出するセンサである。タッチパネル２０は、表示パネル１２に接着剤（例えば、ＯＣＡ（Ｏｐｔｉｃａｌ  Ｃｌｅａｒ  Ａｄｈｅｓｉｖｅ））で接着されて重畳される。
【００２０】
タッチパネル２０は、複数の走査線と平行に延在して配置された複数の走査電極Ｔｘ（駆動ライン）であって、走査信号が供給される複数の走査電極Ｔｘを有する。また、タッチパネル２０は、複数の走査電極Ｔｘと交差して検出信号を検出するための複数の検出電極Ｒｘ（センスライン）を有する。走査電極Ｔｘと検出電極Ｒｘとは、透光性を有する基板（図示しない）上に、互いに絶縁して配置される。走査電極Ｔｘ及び検出電極Ｒｘは、透光性を有する導電性の材料で構成される。走査電極Ｔｘ及び検出電極Ｒｘは、例えば、酸化インジウムスズ（ＩＴＯ）などの透明導電膜によって形成される。なお、走査電極Ｔｘ及び検出電極Ｒｘの一方は、透光性の高いモリブデン等で形成されるメタルブリッジを有していてもよい。タッチパネル２０は、例えば、静電容量方式のタッチパネルである。なお、図２では、走査電極Ｔｘ及び検出電極Ｒｘを便宜上、直線で図示しているが、走査電極Ｔｘ及び検出電極Ｒｘの形状は特に限定されない。走査電極Ｔｘ及び検出電極Ｒｘは、例えば、ダイヤモンドパターンを含んで構成されてもよい。
【００２１】
図３Ａは、本実施の形態に係るタッチパネル２０の構成の一例を示す回路図である。図３Ｂは、本実施の形態に係るタッチパネル２０における各種信号を示す図である。なお、タッチパネル２０によるタッチ位置の検出方法は、従来技術と同様であってもよく、説明を簡略化する。
【００２２】
図３Ａに示すように、ＴＰ制御部３２は、２つのトランジスタと、オペアンプと、オペアンプの入出力端子に並列接続された積分容量Ｃと、オペアンプからの出力電圧Ｖｏｕｔをデジタル信号に変換するＡ／Ｄ変換器とを有する。また、図示しないが、Ａ／Ｄ変換器から出力されたデジタル信号に基づいて、タッチ位置を演算する演算部などが含まれる。Ｓｉｇ．Ａは、検出電極Ｒｘとオペアンプとの間の導通及び非導通を切り替えるための信号である。Ｓｉｇ．ＡがＨｉｇｈであるとき、積分容量Ｃにタッチパネル２０からの電荷が蓄積される。オペアンプの出力端子の出力電圧Ｖｏｕｔは、積分容量Ｃに蓄積された電荷に基づいて決定される。また、Ｓｉｇ．Ｂは、タッチパネル２０の静電容量Ｃｘをリセット（容量に蓄積された電荷を放電）するための信号である。
【００２３】
図３Ａ及び図３Ｂに示すように、静電容量方式のタッチパネル２０では、ＴＰ制御部３２が走査電極ＴｘにＴｘ駆動パルス（走査信号の一例）を供給したときの静電容量の変化を検知し、タッチの有無の判定を行っている。例えば、指タッチしているタッチパネル２０内の特定の座標を、走査電極Ｔｘ及び検出電極Ｒｘのクロスセンス容量の電荷変化量として、検出電極Ｒｘから検出する。
【００２４】
指がタッチされていない状態において、検出電極Ｒｘでは、指のタッチによる容量変化の影響を受けない。このため、図３Ｂの「指非タッチ」に示されるように、電圧値が高い出力電圧Ｖｏｕｔが出力される。一方、指がタッチされている状態において、検出電極Ｒｘでは、指のタッチによる容量変化の影響を受ける。このため、図３Ｂの「指タッチ」に示されるように、電圧値が低い出力電圧Ｖｏｕｔが出力される。
【００２５】
なお、図示しないが、タッチパネル２０の基板には、例えばＦＰＣもしくはＴＣＰなどのコネクタが取り付けられていてもよく、基板にＣＯＧ方式等によりＩＣ（例えば、ＴＰ制御部３２）が実装されていてもよい。このようなタッチパネル２０の基板にコネクタが取り付けられたもの、又はＩＣが実装されたものも、本明細書では単にタッチパネルと記載する。
【００２６】
図１及び図２を再び参照して、制御部３０は、表示パネル１２を制御するＤＰ制御部３１と、タッチパネル２０を制御するＴＰ制御部３２とを有する。ＤＰ制御部３１は、外部から映像信号を受信し、当該映像信号の各フレームの画像を表示パネル１２において表示するための制御信号を、ゲートドライバ１３およびデータドライバ１４へ供給する。ＴＰ制御部３２は、走査電極Ｔｘに対して走査信号を供給し、走査電極Ｔｘと検出電極Ｒｘとの交点におけるクロスセンス容量を測定し、各電極間の交点の容量値に基づいてタッチ操作された位置（タッチ位置）の入力座標を算出する。
【００２７】
なお、制御部３０は、さらにＤＰ制御部３１とＴＰ制御部３２とを制御する統合制御部（図示しない）を有していてもよい。例えば、統合制御部は、ＴＰ制御部３２から入力座標が入力されると、そのタッチ操作に応じて生成した表示画像をＤＰ制御部３１に出力してもよい。
【００２８】
電源４０は、表示パネル１２、ゲートドライバ１３、データドライバ１４、制御部３０へ動作用の電力を供給する。電源４０は、例えば、参照電圧ＶＩＮＩ、ＶＲＥＦ、正電源電圧ＶＣＣ、負電源電圧ＶＣＡＴＨ（以降において、単にＶＣＡＴＨ電圧とも記載する）を、表示パネル１２へ供給する。
【００２９】
ここで、画素回路１１の詳細な構成及び従来例に係る表示装置の課題について、図４〜図８を参照しながら説明する。図４は、本実施の形態に係る画素回路１１の構成の一例を示す回路図である。
【００３０】
図４に示すように、画素回路１１を構成するサブ画素回路１１Ｒ、１１Ｇ、１１Ｂは、互いに同一の構成を有している。以下、画素回路１１の構成について、サブ画素回路１１Ｒに着目して説明する。
【００３１】
サブ画素回路１１Ｒは、初期化トランジスタＴ１Ｒ、補償トランジスタＴ２Ｒ、書込みトランジスタＴ３Ｒ、保持容量ＣＳＲ、駆動トランジスタＴＤＲ、発光素子ＥＬＲを有している。また、サブ画素回路１１Ｒは、制御信号線ＩＮＩ、ＲＥＦ、ＷＳ、参照電圧線ＶＩＮＩ、ＶＲＥＦ、データ信号線ＶｄａｔＲ、正電源線ＶＣＣ、及び、負電源線ＶＣＡＴＨを有している。
【００３２】
初期化トランジスタＴ１Ｒは、制御信号ＩＮＩに従ってオン状態となり、駆動トランジスタＴＤＲのソースノードを基準電圧ＶＩＮＩに設定する。
【００３３】
補償トランジスタＴ２Ｒは、制御信号ＲＥＦに従ってオン状態となり、駆動トランジスタＴＤＲのゲートノードを基準電圧Ｖｒｅｆに設定する。
【００３４】
書込みトランジスタＴ３Ｒは、制御信号ＷＳに従ってオン状態となり、データ信号ＶｄａｔＲの電圧を保持容量ＣＳＲに保持する。
【００３５】
駆動トランジスタＴＤＲは、保持容量ＣＳＲに保持された電圧に応じて、発光素子ＥＬＲに電流を供給する。これにより、発光素子ＥＬＲは、データ信号ＶｄａｔＲによって表される輝度で発光する。
【００３６】
サブ画素回路１１Ｇ、１１Ｂも、サブ画素回路１１Ｒと同様に構成される。
【００３７】
そのため、サブ画素回路１１Ｒ、１１Ｇ、１１Ｂにおいて、同じ制御信号ＩＮＩ、ＲＥＦ、ＷＳに従って同じタイミングでデータ信号ＶｄａｔＲ、ＶｄａｔＧ、ＶｄａｔＢが保持され、保持されたデータ信号に応じた輝度で発光素子ＥＬＲ、ＥＬＧ、ＥＬＢが発光する。
【００３８】
図５は、本実施の形態に係る画素回路１１の構造の一例を模式的に示す平面図である。図５に示されるように、サブ画素回路１１Ｒ、１１Ｇ、１１Ｂは、画素領域１１を分割した３つのサブ画素領域１１Ｒ、１１Ｇ、１１Ｂにそれぞれ形成されている。
【００３９】
画素回路１１は、例えば、基板上に、この順に配置された第１配線層、半導体層、第２配線層によって形成されている。第１配線層は、主に、制御信号線ＩＮＩ、ＲＥＦ、ＷＳ、参照電圧線ＶＩＮＩ、ＶＲＥＦ、保持容量ＣＳＲ、ＣＳＧ、ＣＳＢの一方電極、及び、各トランジスタのゲート電極として用いられる。半導体層は、各トランジスタのチャネル領域として用いられる。第２配線層は、主に、データ信号線ＶｄａｔＲ、ＶｄａｔＧ、ＶｄａｔＢ、正電源線ＶＣＣ、保持容量ＣＳＲ、ＣＳＧ、ＣＳＢの他方電極、及び、各トランジスタのソース電極、ドレイン電極として用いられる。異なる層同士は、ビアにより接続される。
【００４０】
画素回路１１に含まれる発光素子ＥＬＲ、ＥＬＧ、ＥＬＢは、同一の制御信号ＩＮＩ、ＲＥＦ、ＷＳに従って同一のタイミングで保持容量ＣＳＲ、ＣＳＧ、ＣＳＢに保持されたデータ信号ＶｄａｔＲ、ＶｄａｔＧ、ＶｄａｔＢに応じた輝度で発光する。
【００４１】
なお、図示は省略しているが、基板、第１配線層、半導体層、第２配線層を覆うように平坦化層が設けられ、発光素子ＥＬＲ、ＥＬＧ、ＥＬＢは、平坦化層上に形成される。
【００４２】
このように構成された画素回路１１において生じる表示品位及びセンシング能力の低下について説明する。
【００４３】
図４を再び参照して、駆動トランジスタＴＤＲのゲートノードと、タッチパネル２０の走査電極Ｔｘとの間には、寄生容量ＣＰ１Ｒが存在する。同様に、駆動トランジスタＴＤＧ及び駆動トランジスタＴＤＢのゲートノードと、タッチパネル２０の走査電極Ｔｘとの間には、寄生容量ＣＰ１Ｇ及びＣＰ１Ｂが存在する。また、負電源線ＶＣＡＴＨとタッチパネル２０の走査電極Ｔｘとの間には、寄生容量ＣＰ２Ｒ、ＣＰ２Ｇ及びＣＰ２Ｂが存在する。なお、以降において、寄生容量ＣＰ１Ｒ、ＣＰ１Ｇ及びＣＰ１Ｂをまとめて寄生容量ＣＰ１と記載し、寄生容量ＣＰ２Ｒ、ＣＰ２Ｇ及びＣＰ２Ｂをまとめて寄生容量ＣＰ２と記載する場合がある。
【００４４】
図４のような寄生容量が存在する場合の影響について、図６を参照しながら説明する。図６は、従来例に係る表示装置の課題を説明するための第一図である。図６は、表示装置を側面方向から見たときの概略構成を示す。なお、従来例に係る表示装置の構成は、本実施の形態に係る表示装置１００と同様である。また、表示パネル１２とタッチパネル２０とを貼り合わせる接着剤などは、図示を省略している。また、従来の表示装置とは、タッチパネル２０の駆動（走査方向へ順次センシング）と表示パネル１２の駆動（走査方向へゲートライン順次駆動）とが非同期状態である表示装置を意味する。
【００４５】
図６に示すように、表示装置１００は、タッチパネル基板２１、保護カバー２２、ガラス基板１５、ＴＦＴ層１６、有機層１７、陰極１８、及び、封止ガラス１９を備える。タッチパネル基板２１及び保護カバー２２は、タッチパネル２０を構成する構成要素の一部であり、ガラス基板１５、ＴＦＴ層１６、有機層１７、陰極１８、及び、封止ガラス１９は、表示パネル１２を構成する構成要素の一部である。なお、タッチパネル２０及び表示パネル１２（本実施の形態では、有機ＥＬパネル）の構成は、公知の構成でよく、詳細な説明は省略する。
【００４６】
タッチパネル２０は、タッチパネル基板２１と保護カバー２２とがこの順に積層されて構成される。タッチパネル基板２１は、走査電極Ｔｘ及び検出電極Ｒｘなどが形成される基板である。タッチパネル基板２１は、透光性を有する材料で構成される。タッチパネル基板２１は、例えば、ガラス又はフィルムなどで構成される。保護カバー２２は、タッチパネル基板２１を覆い、タッチパネル基板２１を保護する部材である。保護カバー２２は、絶縁性及び透光性を有する部材で構成される。保護カバー２２は、例えば、ガラス又はフィルムなどで構成される。
【００４７】
表示パネル１２は、ガラス基板１５、ＴＦＴ層１６、有機層１７、陰極１８、及び、封止ガラス１９がこの順に積層されて構成される。ガラス基板１５は、ＴＦＴ層１６などが形成される基板である。ＴＦＴ層１６は、アクティブ駆動用の層であり、ゲート、ソース、ドレインの３電極と、半導体層、パッシベーション膜などで構成される。有機層１７は、少なくとも有機発光材料を含む有機発光層を有し、必要に応じて正孔輸送層、正孔注入層、電子輸送層、及び／又は、電子注入層を有する。有機層１７は、陽極（図示しない）と陰極１８とに挟まれて配置される。なお、発光素子ＥＬＲ、ＥＬＧ、ＥＬＢの陽極は、平坦化層に開口されたコンタクトホールにおいて、それぞれ駆動トランジスタＴＤＲ、ＴＤＧ、ＴＤＢのソース電極に接続されている電極（アノード）である。また、発光素子ＥＬＲ、ＥＬＧ、ＥＬＢは、陽極、有機層１７、及び、陰極１８によって構成される。
【００４８】
陰極１８は、発光素子ＥＬＲ、ＥＬＧ、ＥＬＢに共通の電極（カソード）であり、表示パネル１２の全体でつながった１枚の透明かつ面状の電極である負電源線ＶＣＡＴＨを構成する。負電源線ＶＣＡＴＨは、表示パネル１２の外周端において、電源４０と接続される。陰極１８は、光透過性を有する導電性材料で構成され、例えば、酸化インジウムスズ（ＩＴＯ）又は酸化インジウム亜鉛（ＩＺＯ）などの透明導電膜で構成される。
【００４９】
駆動トランジスタＴＤＲ、ＴＤＧ、ＴＤＢから発光素子ＥＬＲ、ＥＬＧ、ＥＬＢの陽極に供給された駆動電流は、発光素子ＥＬＲ、ＥＬＧ、ＥＬＢの有機層１７を発光させ、負電源線ＶＣＡＴＨ（陰極１８）を流れて電源４０に戻る。封止ガラス１９は、ガラス基板と対向して設けられるガラス基板である。なお、封止ガラス１９は、例えば、酸化シリコン又は窒化シリコン等の無機材料で形成されてもよい。
【００５０】
このように構成された表示装置１００において、従来であれば、表示パネル１２において点灯している画素エリア（例えば、１以上の互いに隣接する画素行Ｌで構成されるエリア）上にあるタッチパネル２０の走査電極Ｔｘに供給されるＴｘ駆動パルスがＨｉｇｈ／Ｌｏｗと変動すると、表示パネル１２は電圧ノイズとして影響を受け、表示輝度が変動する。タッチパネル２０は、走査電極Ｔｘを走査方向にスキャンするので、当該表示輝度の変動がスクロールノイズとして見えてしまい、表示パネル１２の表示品位を大きく低下させる。
【００５１】
図６に示すように、例えば、表示パネル１２において点灯している画素回路１１（画素）のエリア上にある走査電極ＴｘにＴｘ駆動パルスが供給されることで、陰極１８におけるＶＣＡＴＨ電位及び駆動トランジスタＴＤＲ、ＴＤＧ、ＴＤＢのゲートノード電位が変動してしまう（揺れてしまう）。これにより、画素回路１１内の発光電流が変動し、表示ノイズとして視認される。Ｔｘ駆動パルスがＨｉｇｈ／Ｌｏｗに関わらず、ＶＣＡＴＨ電位及び駆動トランジスタのゲートノード電位は一定であることが好ましいが、Ｔｘ駆動パルスによって電位が変動している。
【００５２】
次に、タッチパネル２０のセンシング能力に対する影響について、図７及び図８を参照しながら説明する。図７は、本実施の形態に係る画素回路１１の構成の一例を示す回路図である。
【００５３】
図７に示すように、負電源線ＶＣＡＴＨとタッチパネル２０の走査電極Ｔｘとの間には、寄生容量ＣＰ３Ｒ、ＣＰ３Ｇ及びＣＰ３Ｂが存在する。なお、以降において、寄生容量ＣＰ３Ｒ、ＣＰ３Ｇ及びＣＰ３Ｂをまとめて寄生容量ＣＰ３と記載する場合がある。
【００５４】
図７のような寄生容量ＣＰ３が存在する場合の影響について、図８を参照しながら説明する。図８は、従来例に係る表示装置の課題を説明するための第二図である。
【００５５】
図８に示すように、表示パネル１２の点灯している画素エリア上の陰極１８には発光電流（画素電流）が流れるため、ＤＣ電圧入力である陰極１８のＶＣＡＴＨ電位は流入した発光電流によって変動する。ＶＣＡＴＨ電位の揺れ（電圧ノイズ）は、タッチパネル２０がセンシングするときのベースノイズ（フロアノイズ）を上げるため、Ｓ／Ｎ比が低下する。つまり、タッチパネル２０のセンシング能力が低下する。例えば、タッチパネル２０が、表示パネル１２が点灯する画素エリアと平面視において重なる位置に配置された走査電極ＴｘにＴｘ駆動パルスを供給したときに取得される検出信号には、上記のベースノイズが含まれた信号となる。
【００５６】
上記のような課題の解決に対し、本願発明者は、従来例に係る表示装置において、タッチパネル２０の駆動（走査方向へ順次センシング）と表示パネル１２の駆動（走査方向へゲートライン（走査線）順次駆動）とが非同期状態であることに着目し、検討を行った。そして、鋭意検討を行った結果、以下に記載する表示装置１００及び表示装置１００の制御方法によれば、上記課題を解決することを見出した。具体的には、本願発明者は、表示品位及びセンシング能力の双方を従来より向上させることができる表示装置１００及び表示装置１００の制御方法を見出した。
【００５７】
［１−２．表示装置の動作］
次に、表示装置１００の動作について図９〜図１１を参照しながら説明する。図９は、本実施の形態に係る表示装置１００の動作を模式的に示す平面図である。図９では、タッチパネル２０は、走査電極Ｔｘ及び検出電極Ｒｘのみを図示している。また、タッチパネル２０の走査方向は、例えば、図９中のＴｘ駆動パルスのスキャン方向が示すように、紙面において上から下に向かう方向である。また、表示パネル１２の走査方向は、例えば、図９中の走査線（ゲートライン）のスキャン方向が示すように、紙面において上から下に向かう方向である。つまり、タッチパネル２０の走査方向と表示パネル１２の走査方向とは、同方向である。
【００５８】
図９に示すように、ＴＰ制御部３２は、タッチパネル２０の平面視において、表示パネル１２における複数の画素行Ｌのうち、点灯していない（非点灯である）１以上の画素行Ｌで形成される非点灯領域Ｂ（図９中のドットハッチング領域）と少なくとも一部が重なる位置に配置された走査電極Ｔｘ（図９の例では、選択ラインであるＴｘ（２））に走査信号を供給する制御を行う。ＴＰ制御部３２は、例えば、非点灯領域Ｂの位置に合わせて、タッチパネル２０の走査が追従するように、走査電極Ｔｘを選択し、選択した走査電極Ｔｘに走査信号を供給する。なお、点灯していないとは、黒表示を行っていることの一例である。また、ここでの点灯していないとは、当該画素の発光素子に発光電流が実質的に流れていないことを意味する。また、非点灯領域Ｂは、互いに隣接する１以上の画素行Ｌで形成される帯状の領域（黒帯）である。
【００５９】
このとき、表示パネル１２の非点灯領域Ｂを形成する画素行Ｌは、非点灯領域Ｂと重なる走査電極Ｔｘに供給されるＴｘ駆動パルス（走査信号の一例）によるノイズ（図６を参照）の影響を受ける。しかしながら、当該影響は、点灯領域（表示領域のうち非点灯領域Ｂ以外の領域）を形成する画素行Ｌが当該点灯領域と重なる走査電極Ｔｘに供給されるＴｘ駆動パルスにより受けるノイズの影響より少ない。つまり、非点灯領域Ｂと重なる走査電極ＴｘにＴｘ駆動パルスを供給することで、当該Ｔｘ駆動パルスのノイズによる表示品位の低下を視認されにくくすることができる。
【００６０】
また、タッチパネル２０は、表示パネル１２の非点灯領域Ｂ上、つまり発光電流が流れていない画素領域１１上を走査する。当該画素領域１１に含まれる画素において、陰極１８への発光電流の流入がないので、当該発光電流によるＶＣＡＴＨ電位の揺れがなく、タッチパネル２０へのベースノイズが生じないため、センシング時のＳ／Ｎの低下を抑制することができる。つまり、従来より表示品位及びセンシング能力が向上された表示装置１００を実現することができる。
【００６１】
なお、図９では、走査電極Ｔｘはｍ本、検出電極Ｒｘは１本である例を示しているが、走査電極Ｔｘ及び検出電極Ｒｘの数は特に限定されない。また、幅ｗは、非点灯領域Ｂの列方向における幅を意味する。幅ｗは、特に限定されないが、数ｍｍである。
【００６２】
図１０Ａは、画素回路１１の駆動方法の一例を示すタイミングチャートである。図１０Ａは、１つのサブ画素におけるタイミングチャートを示す。
【００６３】
図１０Ａに示されるように、サブ画素回路（例えば、サブ画素回路１１Ｒなど）では、当該サブ画素回路の発光輝度に関連するデータ信号Ｖｄａｔを、データ信号線Ｖｄａｔを介して保持容量ＣＳに保持する（消灯、初期化、Ｖｔｈ補償、及び、データ書込み）。保持容量ＣＳに保持されたデータ信号Ｖｄａｔに応じた電流が駆動トランジスタＴＤから出力される。なお、消灯期間は、初期設定のための期間であり、具体的には当該サブ画素回路が点灯していない（つまり、黒表示である）期間である。非点灯領域Ｂを形成する１以上の画素行Ｌがｐ列であり、水平期間をＨとすると、消灯期間は、例えば、ｐ×Ｈで規定される期間である。
【００６４】
図１０Ｂは、表示装置１００の駆動方法の一例を示すタイミングチャートである。図１０Ｂにおいて、信号名に付したかっこ書きの数字は、信号が供給される画素行を示している。
【００６５】
図１０Ｂに示されるように、図１０Ａに示したサブ画素回路の動作は、表示装置１００のすべての行０〜ｎのサブ画素回路において、行順次に行われる。ここで、非点灯領域Ｂ（０）は、３画素行Ｌ分が非点灯であることを意味している。このとき、ＴＰ制御部３２は、非点灯領域Ｂ（０）（行０〜２の画素回路で形成される領域）と平面視において重なる位置に配置された走査電極ＴｘであるＴＰ＿駆動Ｔｘ（０）を駆動させる。言い換えると、ＴＰ制御部３２は、タッチパネル２０の走査電極ＴｘへのＴｘ駆動パルスの供給を、消灯期間である１以上の画素行Ｌと重なる位置に配置された走査電極Ｔｘに対して実施するように制御する。ＴＰ制御部３２は、例えば、複数の画素行Ｌのうち消灯期間である１以上の画素行Ｌと少なくとも一部が重なる走査電極Ｔｘをスキャンするように制御する。
【００６６】
そして、ＴＰ制御部３２は、非点灯領域Ｂ（１）（行３〜５の画素回路で形成される領域）と平面視において重なる位置に配置された走査電極ＴｘであるＴＰ＿駆動Ｔｘ（１）を駆動させる。このように、ＴＰ制御部３２は、非点灯領域Ｂに対応した走査電極Ｔｘを順次駆動させる。そして、ＴＰ制御部３２は、非点灯領域Ｂ（ｍ）（行ｎ−２〜ｎの画素回路で形成される領域）と平面視において重なる位置に配置された走査電極ＴｘであるＴＰ＿駆動Ｔｘ（ｍ）を駆動させる。これにより、表示パネル１２は、１フレーム分の表示を行うことができ、かつタッチパネル２０は、１フレーム分のセンシング動作を行うことができる。
【００６７】
このように、本実施の形態に係る表示装置１００は、表示パネル１２が１フレーム分の表示を行う間に、タッチパネル２０が１フレーム分のセンシング動作を行う。つまり、表示パネル１２が１フレーム分の表示を行う周期と、タッチパネル２０が１フレーム分のセンシング動作を行う周期とは、同じ周期である。このように、ＴＰ制御部３２は、１以上の画素行Ｌ（例えば、非点灯領域Ｂ）とＴｘ駆動パルスを供給する走査電極Ｔｘとが同期するように制御を行ってもよい。つまり、ＴＰ制御部３２は、非点灯（黒表示の一例）領域と走査信号の供給とを同期させてもよい。
【００６８】
なお、タッチパネル２０のスキャンは、所定時間間隔ごとに行われる。図１０Ｂでは、３水平期間（３Ｈ）ごとにタッチパネル２０のスキャンが行われる例を示している。また、非点灯領域Ｂは、非点灯領域Ｂの幅ｗを維持したまま、１水平期間（１Ｈ）ごとに画素行Ｌ（０）から画素行Ｌ（ｎ）に向けて順次シフトする。
【００６９】
なお、図１０Ｂ中のデータ信号Ｖｄａｔにある「Ｄ」は、ダミー信号が入力されることを意味する。また、帰線期間は、外部から入力される映像信号に含まれている期間であり、映像信号の走査において、最終行から先頭行に走査を戻すための期間である。有機ＥＬパネルにおいては、技術的にはこのような帰線期間は必要ではないが、映像信号にこのような期間が含まれているため、有機ＥＬディスプレイ装置においても映像信号に表示方式を対応させる必要があるため、帰線期間が設けられている。
【００７０】
なお、複数の走査線の数と、複数の走査電極Ｔｘの数とは、等しくてもよい。
【００７１】
図１１は、本実施の形態に係る表示装置１００の動作を時系列で示す平面図である。図１１では、表示パネル１２及び走査されている走査電極Ｔｘのみを図示している。また、図１１中のドットハッチング領域は、非点灯領域を示す。
【００７２】
図１１の（ａ）は、複数の走査電極Ｔｘのうち、非点灯領域Ｂ（０）と重なる走査電極Ｔｘ（０）がスキャンされている様子を示す。具体的には、図１１の（ａ）は、図１０Ｂに示すＴＰ＿駆動Ｔｘ（０）が走査されているときの様子を示す。図１１の（ｂ）は、複数の走査電極Ｔｘのうち、非点灯領域Ｂ（１）と重なる走査電極Ｔｘ（１）が走査されている様子を示す。具体的には、図１１の（ｂ）は、図１０Ｂに示すＴＰ＿駆動Ｔｘ（１）が走査されているときの様子を示す。図１１の（ｃ）は、複数の走査電極Ｔｘのうち、非点灯領域Ｂ（ｍ）と重なるＴｘ（ｍ）が走査されている様子を示す。具体的には、図１１の（ｃ）は、図１０Ｂに示すＴＰ＿駆動Ｔｘ（ｍ）が走査されているときの様子を示す。複数の非点灯領域Ｂ（非点灯領域Ｂ（０）、非点灯領域Ｂ（１）、・・・、非点灯領域Ｂ（ｍ））は、例えば、平面視において、互いに重ならない領域である。
【００７３】
図１１の（ａ）〜図１１の（ｃ）に示すように、ＴＰ制御部３２は、１水平期間ごとに順次シフトする非点灯領域Ｂであって、互いに重ならない非点灯領域Ｂと重なる走査電極Ｔｘをスキャンする。ＴＰ制御部３２は、例えば、ＤＰ制御部３１が表示モジュール１０に出力する信号に基づいて、複数の走査電極Ｔｘから非点灯領域Ｂと重なる１つの走査電極Ｔｘを抽出し、抽出した走査電極Ｔｘをスキャンする。
【００７４】
なお、図１１では、非点灯領域Ｂは、紙面における上から下に順々にシフトする例について説明したが、これに限定されない。ＤＰ制御部３１が、複数の非点灯領域Ｂ（０）〜Ｂ（ｍ）のそれぞれに含まれる１以上の画素行Ｌを非点灯にする順番は、特に限定されない。１フレーム期間内で、複数の非点灯領域Ｂ（０）〜Ｂ（ｍ）のそれぞれが１回ずつ非点灯（黒表示）になればよい。
【００７５】
なお、ある時点において表示パネル１２には１つの非点灯領域Ｂが表示される例について説明したが、当該時点において互いに離間して配置された複数の非点灯領域Ｂが表示されていてもよい。
【００７６】
なお、図１１では、１つの非点灯領域Ｂに１つの走査電極Ｔｘが形成されている例について説明したが、これに限定されない。例えば、１つの非点灯領域Ｂに複数の走査電極Ｔｘが含まれてもよい。
【００７７】
この場合、例えば、複数の走査電極Ｔｘのそれぞれが配置される間隔は、非点灯領域Ｂの幅（例えば、黒表示を行っている１以上の画素行Ｌの列方向における幅）をｗとした場合に、ｗ／２以下であるとよい。これにより、１水平期間ごとの非点灯領域（例えば、行０〜２で形成される非点灯領域、行１〜３で形成される非点灯領域、行２〜４で形成される非点灯領域など）と少なくとも１本の走査電極Ｔｘが重なりやすくなる。つまり、走査される走査電極Ｔｘの一部が点灯領域と重なることを抑制することができる。例えば、ＴＰ制御部３２は、１水平期間（所定時間間隔の一例）ごとに走査電極Ｔｘをスキャンする制御を行う場合、当該走査電極Ｔｘの一部と点灯領域とが重なることを抑制することができる。
【００７８】
［１−３．効果など］
以上のように、本実施の形態に係る表示装置１００は、表示パネル１２と、表示パネル１２に対向して配置されたタッチパネル２０と、制御部３０とを備える。表示パネル１２は、複数の画素行Ｌと、複数の画素行Ｌごとに配置され、映像信号に対応したデータ電圧を書き込む画素行Ｌ、黒表示を行う画素行Ｌを選択するための複数の制御信号線（走査線の一例）とを有する。タッチパネル２０は、複数の制御信号線と平行に延在して配置された複数の走査電極Ｔｘであって、Ｔｘ駆動パルス（走査信号の一例）が供給される複数の走査電極Ｔｘを有する。そして、制御部３０は、タッチパネル２０の平面視において、複数の走査電極Ｔｘのうち、黒表示を行う画素行Ｌと重なる位置に配置された走査電極ＴｘにＴｘ駆動パルスを供給する制御を行う。
【００７９】
これにより、タッチパネル２０のＴｘ駆動パルスのスキャンが黒表示（消灯期間）の画素行Ｌと重なる走査電極Ｔｘに対して行われるので、当該Ｔｘ駆動パルスによる電圧ノイズが発生しても表示ノイズとしては視認されにくい。これは、黒表示の画素（非点灯の画素）の電圧ノイズによる輝度変動は、輝度が極めて低輝度であるので、点灯しており発光電流が十分に流れているときの当該電圧ノイズによる輝度変動に比べて、視認されにくいためである。つまり、表示パネル１２の表示品位の低下を抑制することができる。
【００８０】
また、タッチパネル２０のセンシングが、発光電流が流れない画素行Ｌで行われるので、センシング対象エリア（黒表示のエリア）では、当該発光電流によるＶＣＡＴＨ電圧揺れ（電圧ノイズ）が低減し、その結果、Ｔｘ駆動パルスのスキャン時のフロアノイズが低減する。つまり、タッチパネル２０のセンシング能力の低下（Ｓ／Ｎの低下）を抑制することができる。
【００８１】
これらにより、表示装置１００は、点灯領域と重なる位置に配置された走査電極ＴｘにＴｘ駆動パルスを供給する場合に比べ、表示品位及びセンシング能力を向上させることができる。
【００８２】
また、例えば、制御部３０は、さらに、黒表示とＴｘ駆動パルスの供給とを同期させる。
【００８３】
これにより、１フレーム期間の間に、表示とセンシング動作とを行うことができる。つまり、表示する期間とセンシングする期間とを別々に設けることなく、表示品位及びセンシング能力を向上することができる。
【００８４】
また、例えば、複数の走査電極Ｔｘのそれぞれが配置される間隔は、黒表示を行う画素行Ｌの列方向における幅をｗとした場合に、ｗ／２以下である。
【００８５】
これにより、表示装置１００は、スキャンされる走査電極Ｔｘの一部が点灯領域と重なることを抑制することができるので、さらに表示品位及びセンシング能力を向上することができる。
【００８６】
また、例えば、複数の画素行Ｌを構成する複数の画素のそれぞれは、有機ＥＬ素子、又は、ＱＬＥＤ素子を有する。
【００８７】
これにより、表示装置１００は、有機ＥＬ素子又はＱＬＥＤ素子など発光素子を発光させるための発光電流が流れる表示パネル１２を有する表示装置１００に適用される。つまり、ノイズが発生しやすい発光素子を有する表示装置１００に適用されることで、表示品位及びセンシング能力を効果的に向上させることができる。
【００８８】
また、以上のように、本実施の形態に係る表示装置１００の制御方法は、表示パネル１２と、表示パネル１２に対向して配置されたタッチパネル２０とを備える表示装置１００の制御方法である。表示パネル１２は、複数の画素行Ｌと、複数の画素行Ｌごとに配置され、映像信号に対応したデータ電圧を書き込む画素行、及び、黒表示を行う画素行Ｌを選択するための複数の制御信号線とを有する。タッチパネル２０は、複数の制御信号線と平行に延在して配置された複数の走査電極Ｔｘであって、Ｔｘ駆動パルスが供給される複数の走査電極Ｔｘを有する。そして、そのような表示装置１００の制御方法は、タッチパネル２０の平面視において、複数の走査電極Ｔｘのうち、黒表示を行う画素行Ｌと重なる位置に配置された走査電極ＴｘにＴｘ駆動パルスを供給するステップを含む。
【００８９】
これにより、上記の表示装置１００と同様の効果を奏する。
【００９０】
（実施の形態２）
以下、本実施の形態に係る表示装置等について、図１２〜図１５を参照しながら説明する。実施の形態１で説明したように、平面視において、黒表示を行う１以上の画素行Ｌと重なっているタッチパネル２０の走査電極Ｔｘをスキャンすることで、表示パネル１２の画素電流によるパネルノイズが小さくなり、タッチパネル２０のセンシング能力を向上させることができる。つまり、１以上の画素行Ｌの消灯期間に、平面視において当該１以上の画素行と重なる走査電極ＴｘをスキャンするＴＰスキャン期間を一致させる（同期させる）ことで、高精度にＴＰスキャンすることができる。
【００９１】
しかしながら、この場合、ＴＰスキャン期間が短く、タッチパネル２０のセンシング回路（例えば、ＴＰ制御部３２ａ）の高速動作が必要となるため、回路電力及びモジュール発熱の増加につながる。回路電力の増加は、トランジスタサイズが大型化すること、及び、アクティブ電力が増加することを含む。なお、アクティブ電力Ｗは、走査電極Ｔｘの負荷容量をｃ、電源電圧をｖ、１秒間の充放電回数をｆとすると、以下の式１で算出することができる。
【００９２】
Ｗ＝ｃ×ｖ２×ｆ      ・・・（式１）
【００９３】
式１より、充放電回数ｆの増加に比例して、アクティブ電力Ｗも大きくなる。なお、充放電回数ｆは、１つの走査電極Ｔｘの選択時間（スキャン期間）を換算した駆動周波数である。
【００９４】
そこで、本実施の形態では、回路電力及びモジュール発熱の増加を抑制しつつ、高精度にＴＰスキャンすることが可能な表示装置等について説明する。本実施の形態に係る表示装置は、高精度にタッチパネル２０のスキャンを実行する高精度スキャンモードと、ＴＰスキャン期間を高精度スキャンモードより延長する（つまり、高精度スキャンモードより駆動周波数を低くする）低消費電力スキャンモードとを有し、表示画像の点灯状態（階調レベル）に応じて２つのスキャンモードを切り替える点に特徴を有する。なお、以下の説明では、実施の形態１との相違点を中心に説明し、実施の形態１と同様の構成については同一の符号を付し、説明を省略又は簡略化する場合がある。
【００９５】
なお、高精度スキャンモードは、第１スキャンモードの一例であり、低消費電力スキャンモードは、第２スキャンモードの一例である。
【００９６】
［２−１．表示装置の構成］
本実施の形態に係る表示装置の構成について、図１２を参照しながら説明する。図１２は、本実施の形態に係る表示装置２００の機能的な詳細構成の一例を示すブロック図である。
【００９７】
図１２に示すように、本実施の形態に係る表示装置２００は、実施の形態１に係る表示装置１００に加えて、フレームメモリ５０と、演算部６０とを備える。また、本実施の形態に係る表示装置２００は、実施の形態１に係る表示装置１００のＴＰ制御部３２に替えて、ＴＰ制御部３２ａを備える。
【００９８】
ＴＰ制御部３２ａは、実施の形態１に係るＴＰ制御部３２に加えて、映像信号に基づいてタッチパネル２０のセンシングスキャンにおける制御を行う。ＴＰ制御部３２ａは、例えば、映像信号の階調データ（つまり、画像の明るさ）に基づいて、タッチパネル２０のセンシングスキャンにおける制御を行う。なお、映像信号の階調データは、映像信号に所定の信号処理が施された後の階調データであってもよい。
【００９９】
本実施の形態に係るＴＰ制御部３２ａは、映像信号の階調データに基づいて、高精度スキャンモードと低消費電力スキャンモードとを切り替える。高精度スキャンモードは、低消費電力スキャンモードよりＴＰスキャン期間が短い（つまり、低消費電力スキャンモードより駆動周波数が高い）高周波スキャンモードであるとも言える。低消費電力スキャンモードにおける駆動周波数は、高精度スキャンモードにおける駆動周波数の３／４倍以下であってもよいし、より好ましくは２／３倍以下であってもよいし、さらに好ましくは１／２倍以下であってもよい。
【０１００】
ＴＰ制御部３２ａは、高精度スキャンモードでは、例えば、画素行Ｌにおける消灯期間（黒表示の期間）に、当該画素行Ｌと重なる位置に配置された走査電極ＴｘのＴＰスキャン期間を一致させる。ＴＰ制御部３２ａは、例えば、画素行Ｌにおける消灯期間と、当該画素行Ｌと重なる位置に配置された走査電極ＴｘのＴＰスキャン期間とを同期させるとも言える。このように、高精度スキャンモードでは、ＴＰスキャン期間は、消灯期間及び発光期間のうち、消灯期間のみと重なっていてもよい。消灯期間のみと重なるとは、ＴＰスキャン期間と消灯期間とが同一の期間であること、及び、ＴＰスキャン期間が消灯期間より短く、かつ、消灯期間に含まれることを含む。
【０１０１】
また、ＴＰ制御部３２ａは、低消費電力スキャンモードでは、例えば、画素行Ｌにおける、消灯期間及び当該消灯期間の前後の期間の少なくとも一部の期間であって映像信号に基づく映像表示を行う期間に、ＴＰスキャン期間を一致させる。ＴＰ制御部３２ａは、例えば、画素行Ｌにおける消灯期間及び当該消灯期間の前後の発光期間と、当該画素行Ｌと重なる位置に配置された走査電極ＴｘのＴＰスキャン期間とを同期させるとも言える。このように、低消費電力スキャンモードでは、ＴＰスキャン期間は、消灯期間及び発光期間のそれぞれの少なくとも一部と重なっていてもよい。低消費電力スキャンモードでは、発光期間にわたってスキャンが行われるので、その分、ＴＰスキャン期間が高精度スキャンモードより長くなる。
【０１０２】
なお、高精度スキャンモードは、ＴＰスキャン期間が消灯期間のみと重なっていることに限定されない。高精度スキャンモードは、低消費電力スキャンモードより駆動周波数が高く、かつ、ＴＰスキャン期間の少なくとも一部が消灯期間と重なっていればよい。消灯期間と重なっているＴＰスキャン期間の幅は、例えば、低消費電力スキャンモードにおいて消灯期間と重なっているＴＰスキャン期間の幅より長い。
【０１０３】
フレームメモリ５０は、表示装置２００が受信した映像信号を記憶するためのメモリである。フレームメモリ５０は、例えば、ＤＰ制御部３１が受信した映像信号を、当該ＤＰ制御部３１の制御により記憶する。フレームメモリ５０は、例えば、少なくとも１フレーム分の映像信号を記憶することができる記憶容量を有する。
【０１０４】
演算部６０は、フレームメモリ５０から映像信号を読み出し、読み出した映像信号に基づいて、ＴＰ制御部３２ａにおけるスキャンモードを決定するための処理を実行する。
【０１０５】
なお、フレームメモリ５０は、ＤＰ制御部３１に内蔵されていてもよい。また、ＤＰ制御部３１は、演算部６０における処理を実行してもよい。また、演算部６０は、制御部３０（図１参照）に含まれていてもよい。
【０１０６】
［２−２．表示装置の動作］
次に、表示装置２００の動作について、図１３〜図１５を参照しながら説明する。まずは、低消費電力スキャンモードについて、図１３を参照しながら説明する。図１３は、本実施の形態に係る表示装置２００の動作を模式的に示す平面図である。図１３では、タッチパネル２０は、走査電極Ｔｘ及び検出電極Ｒｘのみを図示している。図１３に示す非点灯領域Ｂ及び点灯領域Ｕは、走査線のスキャン方向（例えば、紙面上における下方向）に沿って、順次移動する。また、非点灯領域Ｂは、例えば、黒表示の領域を示しており、点灯領域Ｕは、映像信号に基づく映像を表示している領域を示している。
【０１０７】
図１３に示すように、ＴＰ制御部３２ａは、タッチパネル２０の平面視において、非点灯領域Ｂ及び当該非点灯領域Ｂの上下の点灯領域Ｕに対応する期間、選択ラインである走査電極Ｔｘ（２）に走査信号を供給する制御を行う。
【０１０８】
ＴＰ制御部３２ａは、例えば、下側の点灯領域Ｕの走査線のスキャン方向側の端部が選択ラインである走査電極Ｔｘ（２）と重なった第１時点から上側の点灯領域Ｕの走査線のスキャン方向と逆側の端部が選択ラインである走査電極Ｔｘ（２）と重なる第２時点までの期間のうち、消灯期間及び発光期間の双方を含む連続した期間、選択ラインである走査電極Ｔｘ（２）に走査信号を供給する。ＴＰ制御部３２ａは、例えば、第１時点から第２時点までの期間にわたって、選択ラインである走査電極Ｔｘ（２）に走査信号を供給してもよい。
【０１０９】
なお、幅ｗ１は、非点灯領域Ｂの列方向における幅であり、具体的には、非点灯領域Ｂを形成する画素行の数に応じた幅である。幅ｗ１は、例えば、図９に示す幅ｗと同じである。また、幅ｗ２は、点灯領域Ｕの列方向における幅であり、具体的には、非点灯領域Ｂを形成する画素行の数に応じた幅である。幅ｗ２は、例えば、予め設定される。例えば、幅ｗ１及びｗ２の合計値が、走査電極Ｔｘのピッチ以下となるように、幅ｗ２が設定される。また、タッチパネル２０のセンシング性能の低下を抑制する観点から、幅ｗ２は、幅ｗ１より狭いとよい。つまり、ＴＰスキャン期間と重なる消灯期間及び発光期間において、消灯期間の方が長いとよい。
【０１１０】
なお、ＴＰ制御部３２ａは、選択ラインである走査電極Ｔｘ（２）に走査信号を供給する期間は、非点灯領域Ｂの上下に位置する点灯領域Ｕの両方に対応する期間であることに限定されない。ＴＰ制御部３２ａは、例えば、下側の点灯領域Ｕの走査線のスキャン方向側の端部が選択ラインである走査電極Ｔｘ（２）と重なった第１時点から非点灯領域Ｂの走査線のスキャン方向と逆側の端部が選択ラインである走査電極Ｔｘ（２）と重なる第２時点までの期間であってもよい。また、ＴＰ制御部３２ａは、例えば、非点灯領域Ｂの走査線のスキャン方向側の端部が選択ラインである走査電極Ｔｘ（２）と重なった第１時点から上側の点灯領域Ｕの走査線のスキャン方向と逆側の端部が選択ラインである走査電極Ｔｘ（２）と重なる第２時点までの期間であってもよい。
【０１１１】
なお、高精度スキャンモードは、例えば、図１３に示す非点灯領域Ｂ及び当該非点灯領域Ｂの上下の点灯領域Ｕのうち、非点灯領域Ｂに対応する期間、選択ラインである走査電極Ｔｘ（２）に走査信号を供給する制御を行う。ＴＰ制御部３２ａは、例えば、非点灯領域Ｂの走査線のスキャン方向側の端部が選択ラインである走査電極Ｔｘ（２）と重なった第１時点から非点灯領域Ｂの走査線のスキャン方向と逆側の端部が選択ラインである走査電極Ｔｘ（２）と重なる第２時点までの期間、当該走査電極Ｔｘ（２）に走査信号を供給する。
【０１１２】
図１４は、本実施の形態に係る表示装置２００の駆動方法の一例を示すタイミングチャートである。具体的には、図１４は、低消費電力スキャンモード時におけるタイミングチャートを示す。なお、高精度スキャンモード時におけるタイミングチャートは、図１０Ｂと同様であり、説明を省略する。また、図１４において、記載される信号名に付したかっこ書きの数字は、信号が供給される画素行を示している。また、図１４に示すＴＰ＿駆動Ｔｘ（０）は、走査電極Ｔｘ（０）を意味し、ＴＰ＿駆動Ｔｘ（１）は、走査電極Ｔｘ（１）を意味する。
【０１１３】
図１４に示されるように、画素回路の動作は、表示装置２００のすべての画素行０〜ｎの画素回路において、行順次に行われる。ここで、非点灯領域Ｂ（０）は、３画素行Ｌが非点灯であることを意味している。つまり、非点灯領域Ｂ（０）は、行０〜２の画素行で形成される領域である。このとき、ＴＰ制御部３２ａは、非点灯領域Ｂ（０）と平面視において重なる位置に配置された走査電極ＴｘであるＴＰ＿駆動Ｔｘ（０）を駆動させる。ＴＰ制御部３２ａは、例えば、時刻Ｔ０〜時刻Ｔ３まで走査電極Ｔｘ（０）に走査信号を供給する。ここで、時刻Ｔ０から時刻Ｔ１までは、行２の発光期間であり、時刻Ｔ１から時刻Ｔ２までは、行０〜２の各々の消灯期間であり、時刻Ｔ２から時刻Ｔ３までは、行０の発光期間である。つまり、走査電極Ｔｘ（０）を駆動させている期間の一部において、行０又は２が発光している。
【０１１４】
また、時点Ｔ３から時点Ｔ６までに示すように、ＴＰ＿駆動Ｔｘ（１）等においても同様である。
【０１１５】
次に、高精度スキャンモードと低消費電力スキャンモードとを切り替える動作について、図１５を参照しながら説明する。図１５は、本実施の形態に係る表示装置２００におけるスキャンモードを切り替える動作を示すフローチャートである。
【０１１６】
図１５に示すように、演算部６０は、積算値（Ｖｔｏｔａｌ）を初期化する（Ｓ１１）。つまり、積算値は、スキャンモードを切り替える動作において、当該動作を実行するごとに初期化される。積算値は、例えば、「０」に初期化されてもよい。なお、積算値は、スキャンモードを切り替えるか否かの判定に用いられる値であって、映像信号に基づく値である。
【０１１７】
次に、演算部６０は、１フレーム分の階調データを取得する（Ｓ１２）。演算部６０は、例えば、フレームメモリ５０から１フレーム分の映像信号を読み出すことで、当該映像信号の階調データを取得する。
【０１１８】
次に、演算部６０は、１フレーム分の階調データを積算して積算値を算出する（Ｓ１３）。積算値は、階調データを積算した値に基づく値である。積算値は、例えば、階調データを積算した値である。本実施の形態では、積算値は、サブ画素回路１１Ｒ、１１Ｇ、１１Ｂごとの階調データを積算した値である。積算値は、画素回路の位置を（ｘ（ａ）、ｙ（ｂ））、位置（ｘ（ａ）、ｙ（ｂ））におけるサブ画素回路１１Ｒ、１１Ｇ、１１Ｂの階調データをそれぞれＶｒ（ｘ（ａ）、ｙ（ｂ））、Ｖｇ（ｘ（ａ）、ｙ（ｂ））、Ｖｂ（ｘ（ａ）、ｙ（ｂ））、画素列の数がｎ、画素行の数がｍとすると、以下の式に基づいて算出されてもよい。
【０１１９】
【数１】
2020126581.tif 000003
【０１２０】
また、積算値は、所定の階調データ以上の階調データを有する画素回路又はサブ画素回路の数であってもよい。所定の階調データは、８Ｂｉｔである場合、例えば、Ｖ２５５相当の値であってもよい。所定の階調データは、８Ｂｉｔである場合、例えば、Ｖ２００であってもよいし、Ｖ２２０であってもよいし、Ｖ２４０であってもよい。なお、所定の階調データは、これらに限定されず、階調データと電流との関係等に基づいて、適宜決定されるとよい。
【０１２１】
なお、演算部６０は、サブ画素回路１１Ｒ、１１Ｇ、１１Ｂごとの階調データを重み付け加算することで積算値を算出してもよい。また、演算部６０は、サブ画素回路１１Ｒ、１１Ｇ、及び、１１Ｂの少なくとも１つのサブ画素回路の階調データを用いて積算値を算出してもよい。演算部６０は、例えば、白表示を行うときにサブ画素回路１１Ｒ、１１Ｇ、及び、１１Ｂのうち最も多く電流が流れるサブ画素回路（例えば、サブ画素回路１１Ｂ）の階調データのみを用いて積算値を算出してもよい。
【０１２２】
次に、演算部６０は、算出した積算値と、閾値とを比較する。演算部６０は、例えば、積算値が閾値以上であるか否かを判定する（Ｓ１４）。
【０１２３】
閾値は、予め設定されており、メモリ（図示しない）に記憶されている。閾値は、消費電力をより削減する観点から高い値に設定されるとよく、例えば、８０％であってもよい。また、閾値は、高精度にセンシングを行う観点から低い値に設定されるとよく、例えば、２０％であってもよい。また、閾値は、消費電力と高精度のセンシングとのバランスをとる観点から、例えば、５０％であってもよい。このように、閾値は、用途などに応じて、適宜決定されるとよい。
【０１２４】
演算部６０は、積算値が階調データを積算した値である場合、階調データの最大値を積算した値（例えば、８ｂｉｔである場合、階調データＶ２５５と画素回路数とを掛け算した値）に対する当該積算値の割合と、閾値とを比較してもよい。また、演算部６０は、積算値が所定の階調データ以上の階調データを有する画素回路数である場合、画素回路の合計数に対する画素回路数の割合と、閾値とを比較してもよい。このように、演算部６０は、判定部としての機能を有する。
【０１２５】
演算部６０は、積算値が閾値以上である場合（Ｓ１４でＹｅｓ）、積算値が閾値以上であることを示す情報をＴＰ制御部３２ａに出力する。ＴＰ制御部３２ａは、当該情報を取得すると、高精度スキャンモードで動作する（Ｓ１５）。ＴＰ制御部３２ａは、表示パネル１２が表示する画像において高階調表示の割合が多い場合に、高精度スキャンモードで動作する。ＴＰ制御部３２ａは、例えば、黒表示Ｈ期間でＴＰスキャンを実行する。
【０１２６】
これにより、表示パネル１２が表示する画像が明るく画素電流によるパネルノイズが大きい場合、つまりタッチパネル２０がパネルノイズを受けやすい場合に、ＴＰ制御部３２ａが高精度スキャンモードで動作するので、精度よくセンシングを行うことができる。なお、積算値が閾値以上であることを示す情報は、高精度スキャンモードで動作することを指示する情報であってもよい。
【０１２７】
また、演算部６０は、積算値が閾値より低い場合（Ｓ１４でＮｏ）、積算値が閾値より低いことを示す情報をＴＰ制御部３２ａに出力する。ＴＰ制御部３２ａは、当該情報を取得すると、低消費電力スキャンモードで動作する（Ｓ１６）。ＴＰ制御部３２ａは、表示パネル１２が表示する画像において中低階調表示の割合が多い場合に、低消費電力スキャンモードで動作する。ＴＰ制御部３２ａは、例えば、黒表示Ｈ期間及び発光Ｈライン期間でＴＰスキャンを実行する。
【０１２８】
これにより、表示パネル１２が表示する画像が暗く画素電流によるパネルノイズが小さい場合、つまりタッチパネル２０がパネルノイズを受けにくい場合に、ＴＰ制御部３２ａが低消費電力スキャンモードで動作するので、センシング精度の低下を抑制しつつ、かつ、回路電力及びモジュール発熱を低減することができる。なお、積算値が閾値より低いことを示す情報は、低消費電力スキャンモードで動作することを指示する情報であってもよい。
【０１２９】
なお、図１５では、積算値に基づいて、タッチパネル２０のスキャンモードが切り替えられる例について説明したが、これに限定されない。演算部６０は、映像信号の階調レベルに基づいて、タッチパネル２０のスキャンモードを切り替えればよい。演算部６０は、スキャンモードを切り替えるか否かの判定に用いられる値として、階調データの統計値を算出してもよい。統計値は、階調データの平均値、中央値、最大値、最小値などの少なくとも１つを含む。そして、演算部６０は、算出した統計値と閾値とを比較し、比較結果に基づいてタッチパネル２０のスキャンモードを切り替えてもよい。
【０１３０】
なお、図１５に示すフローチャートは、フレームごとに実行されるが、これに限定されない。図１５に示すフローチャートは、複数フレームごとに実行されてもよいし、奇数フレーム及び偶数フレームの一方のみで実行されてもよし、所定の時間間隔ごとに実行されてもよい。
【０１３１】
［２−３．効果など］
以上のように、本実施の形態に係る表示装置２００のＴＰ制御部３２ａは、黒表示を行う画素行Ｌと重なる位置に配置された走査電極Ｔｘに走査信号を供給する高精度スキャンモードと、画素行Ｌにおける、黒表示を行う第１期間及び当該第１期間の前後の少なくとも一方の期間であり、映像信号に基づく映像表示を行う第２期間に、当該画素行Ｌと重なる位置に配置された走査電極Ｔｘに走査信号を供給する低消費電力スキャンモードであって、高精度スキャンモードより駆動周波数が低い低消費電力スキャンモードとを有する。そして、ＴＰ制御部３２ａは、映像信号の階調レベルに基づいて、高精度スキャンモードと低消費電力スキャンモードとを切り替える。
【０１３２】
なお、ＴＰ制御部３２ａは、制御部の一例であり、高精度スキャンモードは、第１スキャンモードの一例であり、低消費電力スキャンモードは、第２スキャンモードの一例である。
【０１３３】
これにより、表示装置２００は、駆動周波数が低く回路電力及びモジュール発熱の増加を抑制することができる低消費電力スキャンモードを有する。表示装置２００は、映像信号の階調レベルに基づいて、高精度スキャンモードと低消費電力スキャンモードとを切り替えることで、常に高精度スキャンモードで動作する場合に比べて、回路電力及びモジュール発熱の増加を抑制することができる。
【０１３４】
また、ＴＰ制御部３２ａは、高精度スキャンモードにおいて、黒表示と走査信号の供給とを同期させる。
【０１３５】
これにより、高精度スキャンモードにおいて、黒表示及び映像表示を含む期間に走査信号の供給を行っている場合に比べて、ＴＰスキャンの精度を向上させることができる。
【０１３６】
また、ＴＰ制御部３２ａは、画素回路１１ごとの階調レベルを積算した積算値が閾値以上である場合（Ｓ１４でＹｅｓ）、タッチパネル２０のスキャンモードを高精度スキャンモードに切り替え、積算値が閾値より小さい場合（Ｓ１４でＮｏ）、タッチパネル２０のスキャンモードを低消費電力スキャンモードに切り替える。
【０１３７】
これにより、タッチパネル２０がパネルノイズを受けやすい場合に、ＴＰ制御部３２ａが高精度スキャンモードで動作し、タッチパネル２０がパネルノイズを受けにくい場合に、ＴＰ制御部３２ａが低消費電力スキャンモードで動作する。つまり、タッチパネル２０がパネルノイズを受けやすい場合に、精度よくセンシングを行うことができ、かつ、タッチパネル２０がパネルノイズを受けにくい場合に、回路電力及びモジュール発熱を低減することができる。よって、表示装置２００は、センシング精度の低下を抑制しつつ、回路電力及びモジュール発熱を低減することができる。
【０１３８】
（実施の形態２の変形例）
以下、本変形例に係る表示装置等について、図１６〜図１７Ｄを参照しながら説明する。なお、以下の説明では、実施の形態２との相違点を中心に説明し、実施の形態２と同様の構成については同一の符号を付し、説明を省略又は簡略化する場合がある。本変形例に係る表示装置の構成は、実施の形態２に係る表示装置２００と同様であり、説明を省略する。以下に、本変形例に係る表示装置２００における動作について、図１６を参照しながら説明する。図１６は、本変形例に係る表示装置２００におけるスキャンモードを切り替える動作を示すフローチャートである。
【０１３９】
図１６に示すように、演算部６０は、１フレーム分の階調データを取得する（Ｓ１２）と、階調データに基づいて表示パターンを類推する（Ｓ２１）。演算部６０は、例えば、階調データをマッピングしたマッピングデータにおける階調データの分布から表示パターンを類推してもよい。また、演算部６０は、例えば、所定の階調データ以上であるか否かによりにより２値化処理を行い、２値化処理された白黒の分布から表示パターンを類推してもよい。
【０１４０】
次に、演算部６０は、ステップＳ２１で類推した表示パターンが所定のパターンを含むか否かを判定する（Ｓ２２）。演算部６０は、例えば、類推した表示パターンと、予め設定された所定のパターンとを比較することで、ステップＳ２２における判定を行ってもよい。演算部６０は、例えば、表示パターンが所定のパターンと同一である又は類似する場合に、所定のパターンを含むと判定してもよい。また、演算部６０は、表示パネル１２の表示領域を区画（分割）した複数のブロックごとの表示パターンの各々と所定のパターンとを比較してもよい。そして、演算部６０は、例えば、表示パターンが所定のパターンと同一である又は類似するブロックの数が所定数以上である場合に、所定のパターンを含むと判定してもよい。所定数は、例えば、１であるがこれに限定されない。
【０１４１】
所定のパターンは、例えば、通常の映像表示ではあまり表示されない表示パターンである。所定のパターンについて、図１７Ａ〜図１７Ｄを参照しながら説明する。図１７Ａは、所定のパターンＰ１の第１例を示す図である。図１７Ｂは、所定のパターンＰ２の第２例を示す図である。図１７Ｃは、所定のパターンＰ３の第３例を示す図である。図１７Ｄは、所定のパターンＰ４の第４例を示す図である。なお、図１７Ａ〜図１７Ｄでは、暗い表示を行っている領域をドットハッチングで示している。
【０１４２】
図１７Ａに示すように、所定のパターンＰ１は、表示パネルの上下領域の一方の領域である第１領域Ｒ１１に明るい画像が表示され、表示パネルの上下領域の他方の領域である第２領域Ｒ１２に暗い画像が表示されている表示パターンである。この場合、第１領域Ｒ１１は、タッチパネル２０へのパネルノイズの影響が大きく、かつ、第２領域Ｒ１２は、タッチパネル２０へのパネルノイズの影響が小さい。なお、第１領域Ｒ１１は、例えば、階調レベルが所定レベル以上の領域であり、第２領域Ｒ１２は、例えば、階調レベルが所定レベルより低い領域である。
【０１４３】
図１７Ｂに示すように、所定のパターンＰ２は、表示パネルの左右領域の一方の領域である第１領域Ｒ２１に明るい画像が表示され、表示パネルの左右領域の他方の領域である第２領域Ｒ２２に暗い画像が表示されている表示パターンである。この場合、第１領域Ｒ２１は、タッチパネル２０へのパネルノイズの影響が大きく、かつ、第２領域Ｒ２２は、タッチパネル２０へのパネルノイズの影響が小さい。
【０１４４】
図１７Ａ及び図１７Ｂでは、表示パネルの上下方向又は左右方向の中央付近が明暗の境界となっているが、明暗の境界の位置は中央付近であることに限定されない。また、明るい画像と暗い画像との面積比率は、特に限定されない。なお、明暗の境界の位置及び面積比率が図１７Ａ及び図１７Ｂと異なる表示パターンは、所定のパターンＰ１及びＰ２と類似すると言える。
【０１４５】
図１７Ｃに示すように、所定のパターンＰ３は、明るい領域である第１領域Ｒ３１と暗い領域である第２領域Ｒ３２とが１画像内に交互に（例えば、周期的に）配置されているような表示パターンである。所定のパターンＰ３は、所定の方向に沿って明暗が交互に配置されており、かつ、当該所定の方向と交差する方向（例えば、直交する方向）には明暗が変化しないような表示パターンである。この場合、１画像内で、パネルノイズの影響が大きい領域と小さい領域とが交互に配置される。なお、図１７Ｃでは、第１領域Ｒ３１と第２領域Ｒ３２とが上下方向に交互に配置されている例を示しているが、所定のパターンＰ３には、第１領域Ｒ３１と第２領域Ｒ３２とが左右方向又は斜め方向に交互に配置されている表示パターンも含まれる。なお、第１領域Ｒ３１及び第２領域Ｒ３２の形状又は面積比率が図１７Ｃと異なる表示パターンは、所定のパターンＰ３と類似すると言える。
【０１４６】
図１７Ｄに示すように、所定のパターンＰ４は、明るい領域である第１領域Ｒ４１と暗い領域である第２領域Ｒ４２とが千鳥状に配置されているような表示パターンである。所定のパターンＰ４は、所定の方向に沿って明暗が交互に配置されており、かつ、当該所定の方向と交差する方向（例えば、直交する方向）に沿っても明暗が交互に配置されているような表示パターンである。この場合、１画像内で、タッチパネル２０へのパネルノイズの影響が大きい領域と小さい領域とが千鳥状に配置される。なお、第１領域Ｒ４１及び第２領域Ｒ４２の形状又は面積比率が図１７Ｄと異なる表示パターンは、所定のパターンＰ４と類似すると言える。
【０１４７】
上記の図１７Ａ〜図１７Ｄに示すような表示パターンにおいて、実施の形態２のように階調データに基づいてスキャンモードを決定すると、タッチパネル２０のＴＰスキャン性能が低下する場合がある。図１７Ａの表示パターンを例に説明すると、階調データに基づいて低消費電力スキャンモードで動作する判定が行われた場合、第１領域Ｒ１１でパネルノイズの影響を大きくうけるので、タッチパネル２０は、精度よくセンシングを行うことができない。
【０１４８】
そのため、本変形例に係る表示装置２００は、階調データに基づいてスキャンモードを決定する処理の前に（例えば、図１６に示すステップＳ１３の前に）、ステップＳ２２の判定を行う。
【０１４９】
図１６を再び参照して、演算部６０は、表示パターンが所定のパターンを含む場合（Ｓ２２でＹｅｓ）、所定のパターンを含むことを示す情報をＴＰ制御部３２ａに出力する。ＴＰ制御部３２ａは、当該情報を取得すると、高精度スキャンモードで動作する（Ｓ１５）。これにより、表示装置２００は、表示パターンが所定のパターンを含む場合、積算値による判定を実行することなく高精度スキャンモードで動作するので、表示パネル１２が当該表示パターンを表示するときでもタッチパネル２０のＴＰスキャンを精度よく行うことができる。なお、所定のパターンを含むことを示す情報は、高精度スキャンモードで動作することを指示する情報であってもよい。
【０１５０】
また、演算部６０は、表示パターンが所定のパターンを含まない場合（Ｓ２２でＮｏ）、ステップＳ１３に進んで、積算値による判定を実行する。
【０１５１】
以上のように、本変形例に係る表示装置２００のＴＰ制御部３２ａは、さらに映像信号に基づく表示画像が所定のパターンを含む場合、タッチパネル２０のスキャンモードを高精度スキャンモードに切り替える。
【０１５２】
なお、ＴＰ制御部３２ａは、制御部の一例であり、高精度スキャンモードは、第１スキャンモードの一例である。
【０１５３】
これにより、ＴＰ制御部３２ａは、表示画像が所定のパターンを含む場合、高精度にＴＰスキャンを行うことができる。つまり、ＴＰ制御部３２ａは、表示画像が所定のパターンを含む場合、タッチパネル２０に対するユーザの操作を精度よく検出することができる。
【０１５４】
また、所定のパターンＰ１は、階調レベルが所定レベル以上である第１領域Ｒ１１と、第１領域Ｒ１１以外の領域である第２領域Ｒ１２とを有し、第１領域Ｒ１１と第２領域Ｒ１２とが隣接して配置された表示パターンであってもよい。また、所定のパターンＰ３は、第１領域Ｒ３１と第２領域Ｒ３２とが所定方向に交互に配置された表示パターンであってもよい。また、所定のパターンＰ４は、第１領域Ｒ４１と第２領域Ｒ４２とが千鳥状に配置された表示パターンであってもよい。
【０１５５】
これらにより、ＴＰ制御部３２ａは、表示画像が走査電極Ｔｘ上における位置、又は、タッチパネル２０上における走査電極Ｔｘの位置ごとに表示パネル１２からのパネルノイズの程度が大きく異なるような表示パターンを含む場合、高精度にＴＰスキャンを行うことができる。所定のパターンＰ１〜Ｐ４を含む表示画像を低消費電力スキャンモードでＴＰスキャンすると、第１領域Ｒ１１などにおいて、精度よくＴＰスキャンが行えない。そのため、例えば、画像データの積算値に基づいて判定されると低消費電力スキャンモードで動作する場合であっても表示画像が所定のパターンＰ１〜Ｐ４を含むときには高精度スキャンモードで動作させることで、高精度にＴＰスキャンを行うことができる。
【０１５６】
（他の実施の形態）
以上、本開示に係る表示装置、及び、表示装置の制御方法（以降において、表示装置等とも記載する）について、各実施の形態に基づいて説明してきたが、本開示に係る表示装置等は、上記各実施の形態に限定されるものではない。実施の形態における任意の構成要素を組み合わせて実現される別の実施の形態や、実施の形態に対して本開示の主旨を逸脱しない範囲で当業者が思いつく各種変形を施して得られる変形例や、本実施の形態に係る表示装置等を内蔵した各種機器も本開示に含まれる。
【０１５７】
例えば、上記各実施の形態では、タッチパネルはアウトセル型のタッチパネルである例について説明したが、インセル型又はオンセル型のタッチパネルであってもよい。
【０１５８】
また、上記各実施の形態では、基板等がガラスで構成されている例について説明したが、フィルムで構成されていてもよい。また、基板は、可撓性を有していてもよい。
【０１５９】
また、上記各実施の形態に係る表示パネルは、液晶パネルであってもよい。液晶パネルにおいては、例えば、コモン電極（例えば、コモンメタル）がノイズ源となり得る。しかしながら、本願は、有機ＥＬパネル又はＱＬＥＤパネルに適用される方が、改善効果がより期待できる。
【０１６０】
また、上記各実施の形態に係る表示装置の用途は、特に限定されない。表示装置は、携帯情報端末、パーソナルコンピュータ、テレビジョンなどに使用されてもよいし、デジタルサイネージなどに使用されてもよい。
【０１６１】
また、上記各実施の形態では、「点灯していない」とは、当該画素の発光素子に発光電流が実質的に流れていないことである例について説明したが、これに限定されない。「点灯していない」とは、流れる発光電流が所定値以下であることが含まれてもよい。所定値とは、例えば、発光輝度の上限値の５％以下の輝度で発光させることができる電流値である。黒表示を行っている画素行は、例えば、所定値以下の明るさを有する画素行であってもよい。
【産業上の利用可能性】
【０１６２】
本開示は、タッチパネルを備える表示装置及び表示装置の制御方法として、携帯情報端末、パーソナルコンピュータ、テレビジョン受信機などの様々な映像表示装置に広く利用できる。
【符号の説明】
【０１６３】
１０    表示モジュール
１１    画素回路（画素領域、画素）
１１Ｒ、１１Ｇ、１１Ｂ    サブ画素回路（サブ画素領域）
１２    表示パネル
１３    ゲートドライバ
１４    データドライバ
１５    ガラス基板
１６    ＴＦＴ層
１７    有機層
１８    陰極
１９    封止ガラス
２０    タッチパネル
２１    タッチパネル基板
２２    保護カバー
３０    制御部
３１    ＤＰ制御部
３２、３２ａ    ＴＰ制御部
４０    電源
５０    フレームメモリ
６０    演算部
１００、２００    表示装置
Ｂ    非点灯領域
ｃ    負荷容量
ｆ    充放電回数
Ｌ    画素行
Ｐ１、Ｐ２、Ｐ３、Ｐ４    所定のパターン
Ｒ１１、Ｒ２１、Ｒ３１、Ｒ４１    第１領域
Ｒ１２、Ｒ２２、Ｒ３２、Ｒ４２    第２領域
Ｒｘ    検出電極
Ｔｘ    走査電極
Ｕ    点灯領域
ｖ    電源電圧
ｗ、ｗ１、ｗ２    幅
【図１】
2020126581.tif 000004
【図２】
2020126581.tif 000005
【図３Ａ】
2020126581.tif 000006
【図３Ｂ】
2020126581.tif 000007
【図４】
2020126581.tif 000008
【図５】
2020126581.tif 000009
【図６】
2020126581.tif 000010
【図７】
2020126581.tif 000011
【図８】
2020126581.tif 000012
【図９】
2020126581.tif 000013
【図１０Ａ】
2020126581.tif 000014
【図１０Ｂ】
2020126581.tif 000015
【図１１】
2020126581.tif 000016
【図１２】
2020126581.tif 000017
【図１３】
2020126581.tif 000018
【図１４】
2020126581.tif 000019
【図１５】
2020126581.tif 000020
【図１６】
2020126581.tif 000021
【図１７Ａ】
2020126581.tif 000022
【図１７Ｂ】
2020126581.tif 000023
【図１７Ｃ】
2020126581.tif 000024
【図１７Ｄ】
2020126581.tif 000025